(57)【特許請求の範囲】
【請求項１】
所定の部位に装着し、血圧あるいは循環動態を測定する測定手段を備えた電子血圧計であって、
被測定者の姿勢を検出する姿勢検出手段と、
前記姿勢検出手段により検出した姿勢に基づいて測定の適否を判定する適否判定手段と、
前記適否判定手段によって判定された結果を報知する報知手段と、
本体とは別に設けられた、１つ以上の角度を検出する手段と、
を備え、
前記角度を検出する手段が上腕に設けられた電子血圧計。
【請求項２】
所定の部位に装着し、血圧あるいは循環動態を測定する測定手段を備えた電子血圧計であって、
被測定者の姿勢を検出する姿勢検出手段と、
前記姿勢検出手段により検出した姿勢に応じた補正値を前記測定手段で測定した血圧値に演算する血圧値補正手段と、
前記血圧値補正手段により補正された血圧値を表示する表示手段と、
本体とは別に設けられた、１つ以上の角度を検出する手段と、
を備え、
前記角度を検出する手段が上腕に設けられた電子血圧計。
【請求項３】
前記電子血圧計と前記角度を検出する手段は、通信手段により、データ授受可能に構成されている請求項１又は２記載の電子血圧計。
【請求項４】
生体情報入力手段を備えた請求項１、２又は３記載の電子血圧計。
【請求項５】
前記角度を検出する手段は、１軸もしくは２軸のセンサである請求項１、２、３又は４記載の電子血圧計。
【請求項６】
前記角度を検出する手段の２軸は、被測定者の身体左右の垂直面、及び被測定者の身体
前後の垂直面である請求項５記載の電子血圧計。
【請求項７】
前記角度を検出する手段の２軸は、被測定者の身体左右の垂直面、及び被測定者の身体前後の水平面である請求項５記載の電子血圧計。
【発明の詳細な説明】
【技術分野】
【０００１】
この発明は、被測定者の姿勢検出機能を有する電子血圧計に関する。
【背景技術】
【０００２】
一般に血圧計は、カフを心臓の高さにして測定することにより、正確な血圧値が得られる。しかし、手首用の電子血圧計、指用の電子血圧計等は、カフ（主として本体と一体）は、手首、指と所定の部位に装着されて使用されるが、手首や指は自由に動き得る部位であるために、心臓の高さと同じ高さに設定できず、正確な血圧を測定できないことがある。
【０００３】
このような不具合を避けるために、従来はカフもしくはその近傍に１軸の角度検出装置を設け、その検出角度からカフと心臓の位置関係を判定し、その結果を報知している。
しかしながら、上記した従来技術のように１軸の角度情報だけで心臓とカフの位置関係を判定すると、種々の誤差要因が血圧測定の精度に影響を及ぼす。
このような誤差要因としては、まず、被測定者の上腕長や前腕長のばらつきがある。例えば図１８に示すように、前腕長が相違するＬ１、Ｌ１ａの場合に、前腕の傾斜角が同じでも、前腕長がＬ１の場合に、カフ１００の高さが心臓１０１の高さと同じであるに対し、前腕長Ｌ１ａの場合には、カフ１００ａの位置が実際には心臓１０１よりもΔＨだけ低い位置にある。したがって、この検出した傾斜角で正しいと判断した場合には、前腕長の相違で正確な血圧を測定できないこともある。また、図１９に示すように、前腕長Ｌ１が同じで、かつ傾斜角が同じでも、上腕長がＬ２、Ｌ２ａと相違すると、上腕長Ｌ２の場合に、カフ１００の位置が心臓１０１の高さと同じであるに対し、上腕長がＬ２ａの場合には、カフ１００ａの位置が心臓１０１よりもΔＨだけ高い位置にある。したがって、この傾斜角で正しいと判断した場合には、上腕長の相違で、やはり正確な血圧を測定できないことがある。
【０００４】
また、被測定者の上腕の角度、つまり肘の位置によっては、前腕の角度が同じでも、心臓とカフの中央との高さの差は相違したものとなり、誤差の原因となる場合がある。例えば、図２０、図２１に示すように、図２０Ａで上腕Ｌ２を垂直にしている状態で、カフ１００と心臓Ｈの高さが同じで、差ΔＨが０であるとし、これと同じ前腕の角度を検出しても、図２０Ｂのように、上腕Ｌ２が身体の左右内方向に（ピッチ方向）に傾いている状態では、カフ１００の中央の方が心臓ＨよりもΔＨだけ高い位置となり、また同様に、図２１のように、上腕Ｌ２が身体の前後方向（ロール方向）に傾いている状態でも、カフ１００の中央の方が心臓ＨよりもΔＨだけ高い位置となっている。そのため、前腕Ｌ１の傾き角が図２０Ａの時と同じであるから、図２０Ｂ、図２１のような場合に、同じ高さだと判断すると、誤った結果を得るという問題がある。
【０００５】
また、上腕の動きによる肘の浮きが発生する場合とともに体が傾いている場合においても、前腕のピッチ方向の角度が同じでも、心臓Ｈとカフ１００の中央との高さの差は相違したものとなり、誤差の要因となる場合がある。例えば、図２２に示すように、点線で示される体の傾きが０°の場合と実線で示される体の傾きが３０°の場合に、同じ姿勢で体を傾けたとき、前腕の水平面に対する角度が小さくなるため、血圧計の位置を所定の範囲に合わせようとすると、心臓の位置からずれてしまう。また、図２３に実線で示すように前腕が鉛直方向に対して傾斜すると図２２に示す場合と同様に血圧計の位置が心臓の位置からずれてしまう。
【発明の開示】
【発明が解決しようとする課題】
【０００６】
本発明は、かかる従来技術の課題を解決するためになされたものであって、その目的とするところは、カフと心臓の位置をより正確に判定することにより、正確に血圧を測定し得る電子血圧計を提供することにある。
【課題を解決するための手段】
【０００７】
この発明の電子血圧計は、所定の部位に装着し、血圧あるいは循環動態を測定する測定手段と、被測定者の姿勢を検出する姿勢検出手段と、検出した姿勢により、測定の適否を判定する適否判定手段と、適否判定手段によって判定された結果を報知する報知手段を備えるものにおいて、本体とは別に、上腕の角度を検出する上腕角度測定手段を備えている。
【０００８】
この電子血圧計では、本体とは別に上腕角度測定手段によって、上腕の角度を検出でき、前腕のみならず、腕の角度もカフと心臓の高さ位置関係を算出するのに反映される。そのため、上腕の傾きの影響を受けることなく、測定の適否を判定できる。
【０００９】
また、この発明の電子血圧計は、所定の部位に装着し、血圧あるいは循環動態を測定する測定手段と、被測定者の姿勢を検出する姿勢検出手段と、検出した姿勢に応じた補正値を前記測定手段で測定した血圧値に演算する血圧値補正手段と、この補正された血圧値を表示する表示手段を備えるものにおいて、本体とは別に、上腕の角度を検出する上腕角度検出手段を備えている。
【００１０】
この電子血圧計では、本体とは別に上腕角度検出手段によって、上腕の角度を検出でき、前腕のみならず、上腕の角度もカフと心臓の高さ位置関係を算出するのに反映される。そして、正確に血圧値を補正する。そのため上腕の傾きの影響を受けずに、正確な血圧を測定できる。
【００１１】
この電子血圧計は、所定部位に装着し、血圧あるいは循環動態を測定する測定手段を備えた電子血圧計であって、２軸の角度を検出する２軸角度検出手段と、前記２軸角度検出手段による検出角度を用いて被測定者の心臓と血圧計の所定の基準位置との鉛直方向高低差を算出する測定姿勢高低差算出手段と、前記測定姿勢高低差算出手段による算出結果を用いて所定の高低差範囲に入っているかを判定する測定姿勢適否判定手段と、前記測定姿勢適否判定手段による判定結果を被測定者に報知するための報知手段を備える。このように２軸の角度を検出することにより被測定者の心臓と血圧計の所定の基準位置との鉛直方向の高低差をより正確に算出し、測定姿勢をより的確に判断することができる。
【００１２】
また、この電子血圧計は、所定部位に装着し、血圧あるいは循環動態を測定する測定手段を備えた電子血圧計であって、２軸の角度を検出する２軸角度検出手段と、前記２軸角度検出手段による検出角度を用いて被測定者の心臓と血圧計の所定の基準位置との鉛直方向の高低差を算出する測定姿勢高低差算出手段と、前記測定姿勢高低差算出手段による算出結果を用いて血圧の補正値を算出する補正圧力算出手段と、前記補正圧力算出手段によって算出される補正値と前記測定手段によって測定される血圧値とを用いて補正後の血圧値を算出する補正後血圧算出手段と、補正後血圧算出手段による算出結果を被測定者に報知する測定結果報知手段を備える。このように２軸の角度を検出することにより被測定者の心臓と血圧計の所定の基準位置との鉛直方向の高低差を正確に算出し、この算出値に基づいて血圧値の補正を行うので、より正確な血圧測定が可能となる。
【発明の効果】
【００１３】
この発明によれば、血圧計本体とは別に、上腕角度検出器を備え、この上腕角度検出器による上腕角度も心臓とカフとの高さの差値算出に反映できるので、測定姿勢に関係なく
、血圧計のカフと心臓の高さの差値を正確に算出でき、自由度の高い測定姿勢で正確な血圧測定ができる。
【００１４】
この発明によれば、２軸の角度に基づいて心臓と血圧計の所定の基準位置との鉛直方向の高低差を算出し、的確に被測定者の測定姿勢を判定することができるので、他の位置決め部材等を使用することなく自由度の高い測定姿勢で簡便に正確な血圧測定ができる。
【００１５】
また、この発明によれば、２軸の角度に基づいて心臓と血圧計の所定の基準位置との鉛直方向の高低差を算出し、これに基づいて血圧値の補正を行うので、より正確な血圧測定ができる。
【発明を実施するための最良の形態】
【００１６】
（第１の実施形態）
【００１７】
図１は、本発明の第１の実施形態である電子血圧計の装着状態を示す図である。この実施形態に係る電子血圧計は、血圧計本体２１と、上腕角度測定部２２とから構成され、血圧計本体２１と上腕角度測定部２２は、それぞれ赤外線送受信器２３、２４を備え、赤外線２５による無線通信でデータ授受を行うようになっている。
【００１８】
図２は、この実施形態に係る電子血圧計のハードウエア構成を示すブロック図である。この電子血圧計は、カフ１と、このカフ１を加圧する加圧ポンプ２と、カフ１を排気するための排気部３と、カフ１の空気圧を検出する圧力センサ４と、Ａ／Ｄ変換器５と、内蔵するプログラムにより、血圧測定のための処理を実行するＭＰＵ６と、加圧キー、その他のキーを含む操作入力部７と、入力データ、演算データ、測定結果等を記憶する記憶部８と、報知ためのブザー９と、測定結果を表示する表示部１０と、血圧計本体（カフ１も一体）の姿勢角を検出する前腕角度検出器１１、本体とは別体に設けられる上腕角度検出器１２とを備えている。
【００１９】
次に、この実施形態に係る電子血圧計の処理動作を、図３に示すフロー図を参照して説明する。電源がＯＮされ、動作がスタートすると、先ずＬＣＤ（表示器）が全点灯され（ステップＳＴ３１）、続いてＬＣＤを全消灯し（ステップＳＴ３２）、表示機能を確認できる状態にし、続いてゼロセッティング、つまり初期リセットを完了する（ステップＳＴ３３）。次に、前腕角度検出器１１が検出した角度が所定の範囲内に存在するか否かを判定する（ステップＳＴ３４）、前腕の角度が所定の範囲に存在しない場合は、前腕の角度が所定範囲となるための誘導報知、例えば「血圧計本体を少し高くして下さい。」等の表示を行う（ステップＳＴ３５）。前腕の角度が所定範囲に存在、あるいは入ると、次に上腕角度検出器１２が検出した角度が所定の範囲に存在するか否かを判定する（ステップＳＴ３６）。上腕の角度が所定範囲に存在しない場合は、上腕の角度が所定範囲となるための誘導報知、例えば「上腕をもう少し立てて下さい。」等の表示を行う（ステップＳＴ３７）。上腕の角度が所定範囲に存在、あるいは入ると、加圧ポンプをＯＮして、測定を開始し（ステップＳＴ３６）、最高血圧、最低血圧及び脈拍数の測定が完了する（ステップＳＴ３７）と、測定結果を表示し（ステップＳＴ３８）、動作を終了する。
【００２０】
（第２の実施形態）
【００２１】
図４は、本発明の第２の実施形態に係る電子血圧計の処理動作を示すフロー図である。なお、この実施形態に係る電子血圧計の回路部のハード構成は、図２に示したものと同様である。この実施形態に係る電子血圧計は、電源がＯＮされ、動作がスタートすると、先ずＬＣＤ（表示器）が全点灯され（ステップＳＴ４１）、続いてＬＣＤを全消灯し（ステップＳＴ４２）、ゼロセッティング、つまり初期リセットを完了する（ステップＳＴ４３
）。次に前腕角度検出器１１と上腕角度検出器１２により、前腕と上腕の角度を検出する（ステップＳＴ４４）。ここで検出する前腕の角度は図５Ａに示すピッチ方向の角度φと、図５Ｂに示すロール方向の角度θ、あるいは図６Ａに示すピッチ方向の角度φと、図６Ｂに示すもたれ方向の角度θである。若しくは、ピッチ方向の角度θと、図５Ｂに示すロール方向の角度θと、図６Ｂに示すもたれ方向の角度θの合成角である。この検出した前腕と上腕の角度から心臓とカフの高低差を予測する（ステップＳＴ４５）。次に、予測した心臓とカフの差値から対応する圧力補正値を換算する。この補正値はメモリに記憶しておく（ステップＳＴ４６）。加圧ポンプをＯＮし、加圧を開始し、測定に入る（ステップＳＴ４７）。測定は、カフ圧を加圧目標値まで加圧した後、加圧を停止し、その後の減圧過程でカフ圧中の圧脈波を検出し、一般的によく知られたアルゴリズム、例えば各脈波の振幅列データから振動法により、最高血圧値及び最低血圧値を決定する。血圧測定が終了すると（ステップＳＴ４８）、次に測定（決定）結果を補正する（ステップＳＴ４９）。血圧値補正は、メモリに記憶してある圧力補正データを基に決定した血圧値に演算補正することにより行う。測定結果として、補正後の血圧値を表示部１０に表示する（ステップＳＴ５０）。
【００２２】
この実施形態に係る電子血圧計では、ステップＳＴ４４の前腕と上腕の角度を測定する前に、操作入力部７より被測定者の前腕長及び上腕長（生体情報）を入力し、ステップＳＴ４６で補正値を換算する際に、これら前腕長、上腕長の個人差を考慮した補正を行ってもよい。この前腕長、上腕長の予めの入力による個人差の補正は、図３に示す実施形態にも適用できる。
【００２３】
ここで、上記実施形態に係る電子血圧計におけるカフと心臓の高さの差ΔＨの算出方法について詳述する。図７、図８に示すように上腕の左右方向の角度φａ、上腕の前後方向の角度θａ、前腕の上下方向の角度φｂ、前腕の前後方向の角度θｂ、体のもたれ角θｃ、前腕長Ｌ１、前腕長Ｌ２、肩から心臓までの高さＨ、肩からカフまでの高さＺとしたとき
数１
ΔＨ＝Ｚ−Ｈ＝Ｌ１＊ｓｉｎφｂ＊ｃｏｓ（θｂ＋θｃ）＋Ｌ２＊ｃｏｓφａ＊ｃｏｓ（θａ＋θｃ）−Ｈ  …基本の式
で表される。
【００２４】
しかし、従来の技術に記載の方法では、
数２
ΔＨ＝α＊ｓｉｎφｂ＋β（α、βは定数である）
という推定式で表されていたため、Ｌ１、Ｌ２、φａ、θａ、θｂ、θｃによる推定精度のバラツキが発生する。
そこで、この実施形態電子血圧計では、
血圧計本体で測定した上下方向の角度をφ１（φｂ＝φ１）
血圧計本体で測定した前後方向の角度をθ１（θｂ＋θｃ＝θ１）
上腕の上腕に装着された角度センサの左右方向の角度をφ２（φａ＝φ２）
上腕の上腕に装着された角度センサの前後方向の角度をθ２（θａ＋θｃ＝θ２）
手入力された前腕長をＬ１、上腕長をＬ２とすると、
数３
ΔＨ＝Ｌ１＊ｓｉｎφｂ＊ｃｏｓ（θｂ＋θｃ）−Ｌ２＊ｃｏｓφａ＊ｃｏｓ（θａ＋θｃ）−Ｈ
＝Ｌ１＊ｓｉｎφ１＊ｃｏｓθ１−Ｌ２＊ｃｏｓφ２＊ｃｏｓθ２−Ｈ
身長１４０〜２００ｃｍの被測定者を対象に推定式を算出したところ、
数４
ΔＨ＝Ｌ１＊ｓｉｎφ１＊ｃｏｓθ１＋０．９５７＊Ｌ２＊ｃｏｓφ２＊ｃｏｓθ２−
１．１８１９
と表すことができる（ここで−０．９５７、１．１８１９は、Ｈのパラメータを統計により近似値として求めたことによる数値である。）。
【００２５】
よって、心臓と血圧計のカフの高さの差を推定する精度が向上した。
【００２６】
なお、図１に示した実施形態電子血圧計は、血圧計本体２１と上腕角度測定部２２は、赤外線による無線であるが、他の電波を用いても良いし、図９に示すようにケーブル２６で接続し、有線でデータを授受して良い。
【００２７】
（第３の実施形態）
以下、本発明の第３の実施形態に係る電子血圧計は、第１及び第２の電子血圧計と同様な構成を有するが、上腕角度測定部を備えない点において異なる。
【００２８】
本実施形態では、手首に装着される電子血圧計の本体に設けられた２軸の角度検出手段を用いて、被測定者の測定姿勢、すなわち、心臓と血圧計の圧力基準位置との高低差を算出し、測定姿勢の判定又は血圧値の補正を行う。また、本実施形態に係る電子血圧計は、図１０に示すように腋を閉め前腕を胸に添える姿勢で測定を行うことが推奨される（このとき血圧計を装着したほうの腕の肘が体から離れないように他方の手を添えることが好ましい。）。電子血圧計本体２１も、手首に巻回されるベルト状のカフ１に対して親指側の側方に位置するように取付けられている。従って、図１０に示す測定姿勢をとった場合に、表示部１０が上方を向き、被測定者が容易に表示を確認することができる。
【００２９】
図１１は、第３の実施形態に係る電子血圧計の構成を示すブロック図である。第１の実施形態と同様の構成については同様の符号を用いて説明を省略する。
【００３０】
図１２は、本実施形態に係る電子血圧計の主要部の機能ブロック図である。以下、図１２に従って、各部の機能について説明する。
【００３１】
被測定者の手首に装着される電子血圧計に設けられたピッチ方向の重力加速度センサ１１ａ及びロール方向の重力加速度センサ１１ｂから各測定方向の重力加速度に応じた電圧が出力される。
【００３２】
重力加速度センサ１１ａ，１１ｂから出力された電圧はＡ／Ｄ変換部１３に入力される。Ａ／Ｄ変換部１３では、重力加速度センサ１１ａ，１１ｂから出力されたアナログ値をディジタル値に変換する。Ａ／Ｄ変換部１３においてディジタル値に変換されたデータは角度算出部１４に入力される。
【００３３】
角度算出部１４では、特定の重力加速度状態に対応するディジタル値を所定の記憶領域に記憶させておき、その値とＡ／Ｄ変換部１３からの入力データとを比較することにより角度情報を算出する。例えば、ピッチ方向の重力加速度０Gのときのカウント値をNφ０、ピッチ方向の重力加速度が＋１Gのときのカウント値をNφｇ、現在のピッチ方向の重力加速度のカウント値をNφとすると、
数５
ｃｏｓφ＝（Nφ０−Nφ）／（Nφ０−Nφｇ）
としてピッチ方向の角度情報を算出することができる。ロール方向の角度情報も同様に算出することができる。
【００３４】
ここで、重力加速度センサ１１ａ，１１ｂに基づいて角度情報として取り出される角度を図１３を用いて説明する。ここでは、カフ１に取付けられた血圧計本体２１の内部に点
ｒ（以下、「参照点」と呼ぶ。）を設定し、この参照点ｒを通り略立方体形状の血圧計本体２１の表示面に平行かつ血圧計本体２１に固定された平面Ｒ（以下、「参照面」と呼ぶ。）を想定する。本実施形態では、参照点ｒを通り、この参照面Ｒに直交する法線Ｎ（図１３Ａ参照）を含み、血圧計本体２１の長手方向（被測定者の前腕の長手方向に一致する。）に延びる平面への重力加速度ベクトルの射影成分Ｇ１と前記法線Nとのなす角度をΦと定義している（図１３Ｂ参照）。また、参照点ｒを通り、参照面Ｒに直交する法線Ｎ（図１３Ｃ参照）を含み、血圧計本体２１の短手方向（被測定者の前腕の長手方向に直交する方向に一致する。）に延びる平面への重力加速度ベクトルの射影成分Ｇ２と前記法線とのなす角度をΘと定義している（図１３Ｄ参照）。ここで説明したΦ及びΘは、血圧計本体における二つの重力加速度センサの配置に応じて定義されるものである。
【００３５】
算出された角度情報は高低差算出部１５に入力される。高低差算出部１５では、算出されたロール方向及びピッチ方向の角度から心臓と血圧計の圧力基準位置との高低差を算出する。例えば、鉛直方向における心臓と血圧計の圧力基準位置の差をΔH、前腕と鉛直線のなす角度をφ（図１４Ａ参照）、上腕と鉛直線とのなす角度をθ、上腕と胴の長手方向（例えば、肩の上腕骨頭を通る線を想定する。）とのなす角度をθ２、胴の長手方向と鉛直方向とのなす角度をθ１（図１４Ｂ参照）とすると、
数６
ΔＨ＝Ｌ１＊ｃｏｓφａ＊ｃｏｓ（θ２＋θ１）−Ｌ２＊ｃｏｓφ＊ｃｏｓ（θａ＋θ１＋θ２）−Ｈ
となる。ここで、θａ＝０°とすると、
数７
ΔＨ＝Ｌ１＊ｃｏｓφａ＊ｃｏｓθ−Ｌ２＊ｃｏｓφ＊ｃｏｓθ−Ｈ
となる。ここで、Ｌ１、Ｌ２、φａ、Ｈのばらつきを考慮すると、
数８
ΔH＝Ａ＊ｃｏｓφ＋B＊ｃｏｓθ＋C
と表すことができる。ここでφ及びθのそれぞれに重力加速度センサの測定結果に基づいて算出された角度情報Φ及びΘを代入することにより、２軸の角度検出手段によって検出される角度を用いて心臓と血圧計の圧力基準位置との差を算出することができる。但し、ここでは、θａがほぼ０となり、手首をねじらない状態で測定を行うことが前提となる。
【００３６】
本実施形態では、図１０のような姿勢をとることにより、肘を置く台や枕等のような位置決めのための部材を使用することなく、手首に装着された血圧計本体に設けられた二つの角度検出手段による検出角度を用いて心臓と血圧計の圧力基準位置との差を精度良く算出することができる。すなわち、本実施形態に係る電子血圧計は、血圧計が装着される手首と心臓との高低差の算出誤差が、肘及び肩の自由度に依存するという人体の構造的特徴に着目し、精度向上を図るものである。また、角度検出手段を用いることにより、胴と腕の相対位置関係のみならず、凭れのような被測定者の姿勢に基づく誤差要因が存在する場合でも精度良く心臓と血圧計の圧力基準位置との差を算出することを可能としたものである。
【００３７】
高低差算出部１５において算出されたΔHは高低差適否判定部１６に入力される。高低差適否判定部１６では、算出されたΔHが適正範囲内に入っているか否かを判定する。また、適正範囲外であっても以下に説明するように適正範囲からのずれの程度を被測定者が認識できるように報知する。
【００３８】
ここで、角度算出部１４、高低差算出部１５、高低差適否判定部１６等の各機能は、図１１のＭＰＵのソフト処理によって実現される。
【００３９】
次に、図１５は本実施形態の電子血圧計の処理動作を示すフロー図である。
【００４０】
電源がＯＮされ、動作がスタートすると、まず表示部１０の表示が全点灯され（ステップＳＴ５１）、続いて表示部の表示が全消灯され（ステップＳＴ５２）、表示機能を確認できる状態とし、続いてゼロセッティングを完了する（ステップＳＴ５３）。次に、ピッチ方向の重力加速度センサ１１ａ及びロール方向の重力加速度センサ１１ｂを用いて検出された前腕の角度情報に基づいてＭＰＵ６が被測定者の手首の圧力基準位置と心臓の高低差ΔHを算出し、ΔHが所定範囲か否かを判定する（ステップＳＴ５４）。ΔHが所定範囲外であれば、被測定者の手首の圧力基準位置と心臓が同じ高さとなるように誘導報知する（ステップＳＴ５５）。
【００４１】
ここで、図１６に基づいて本実施形態に係る電子血圧計における心臓と血圧計の圧力基準位置との高低差の適否の報知方法について説明する。図１６Ａ〜Ｅは心臓と血圧計の圧力基準位置との高低差の適否を報知するための表示部１０の表示例であり、図１６Ｆ〜Ｈはそれぞれ左隣に示される表示に対応する心臓Ｈと血圧計２１の圧力基準位置の関係を示す。
【００４２】
表示部１０には被測定者に対して左右方向の延長を有するバー３３が表示され、バー３３の中央部には適正範囲を示すブロック３４が配置されている。心臓Ｈと血圧計２１の圧力基準位置との差に応じて、バー３３を上下から挟む二つの三角形のマーク３５がバー３３に沿って左右に移動する。図１６Ｆに示すように血圧計２１の圧力基準位置が心臓よりも低い位置にある場合には、図１６Ａに示すようにマーク３５はバー３３の左側に位置し、血圧計２１の位置が適正範囲外にあることを被測定者に報知する。血圧計２１を心臓Ｈに近づけることにより、マーク３５はバー３３に沿って右側へ移動し（図１６Ｂ）、被測定者に血圧計２１の位置が適正な位置へ近づいていることを報知する。図１６Ｇに示すように血圧計２１の圧力基準位置が心臓と同じ高さになるとマーク３５はバー３３の中央部でブロック３４を挟む位置に移動し、適正範囲内にあることを被測定者に報知する。このときブザーを鳴らすことにより被測定者は容易に血圧計２１が適正範囲内にあることを知ることができる。血圧計２１の位置を高くすると、マークは中央部のブロック３４を通過してバー３３の右側に移動し（図１６Ｄ）、被測定者に血圧計２１の位置が適正な位置から遠ざかっていることを報知する。さらに、血圧計の位置を高くすると、マークはさらにバー３３の右側へ移動し（図１６Ｅ）、血圧計２１の位置が適正範囲外であることを被測定者に報知する。
【００４３】
ステップＳＴ５４において、被測定者の手首に装着された電子血圧計の圧力基準位置と心臓の高低差が所定範囲内にあるか又は所定範囲内に入るとＭＰＵ６が加圧ポンプ２をＯＮして測定を開始するよう指示し（ステップＳＴ５６）、最高血圧、最低血圧及び脈拍数の測定が完了すると（ステップＳＴ５７）、測定結果を表示し（ステップＳＴ５８）、動作を終了する。
【００４４】
上述のように表示部１０の左右に移動するマーク３５の位置によって血圧計２１の位置が適正範囲か否かを報知しているので、被測定者が血圧計２１の位置を調整しようとしてマークの動きに合わせて血圧計２１を装着した腕を体から離してしまい測定姿勢の再度の調整がさらに必要になってしまうという事態を避けることができ、効率的な位置調整が可能となり、短時間で測定に移行することができる。
【００４５】
本実施形態では、重力加速度センサを用いて角度を算出しているが、角度を検出する手段はこれに限られない。
【００４６】
（第４の実施形態）
【００４７】
図１７は、第４の実施形態に係る電子血圧計の主要部の機能ブロック図である。電子血圧計２１の全体構成は図１１に示す第３の実施形態と同様であり、同様の構成については同様の符号を用いて説明を省略する。
【００４８】
重力加速度センサ１１ａ，１１ｂ、Ａ／Ｄ変換部１３、角度算出部１４、高低差算出部１５の構成は図１２に示す第３の実施形態と同様であるので説明を省略する。
【００４９】
本実施形態では、高低差算出部１５で算出されたΔHが補正圧力算出部１７に入力される。補正圧力算出部１７では、算出された心臓と血圧計２１の圧力基準位置との高低差に基づいて補正圧力を算出する。例えば、補正圧力をΔPとすると、
数９
ΔP＝ΔH＊７．８／１０
によって算出することができる。
【００５０】
補正圧力算出部１７において算出された補正圧力は補正後血圧算出部１８に入力される。補正後血圧算出部１８では、血圧計の測定によって得られたSYS´（補正前最高血圧）及びDIA´（補正前最低血圧）にΔPを加算することにより補正後の血圧を算出する。すなわち、補正後の最高血圧及び最低血圧を各々SYS、DIAとすると、
数１０
SYS=SYS´＋ΔP
DIA＝DIA´＋ΔP
として補正後の血圧値が算出される。
【００５１】
このようにして算出されたSYS、DIAは測定結果として表示部１０に表示される。
【００５２】
ここで、角度算出部１４、高低差算出部１５、補正圧力算出部１７、補正後血圧算出部１８等の各機能は、図１１のＭＰＵ６のソフト処理によって実現される。
【図面の簡単な説明】
【００５３】
【図１】図１は、この発明の第１の実施形態に係る電子血圧計の装着状態を示す図である。
【図２】図２は、この発明の第１の実施形態に係る電子血圧計の構成を示すブロック図である。
【図３】図３は、上記実施形態に係る電子血圧計の測定処理動作を説明するためのフロー図である。
【図４】図４は、この発明の第２の実施形態に係る電子血圧計の測定処理動作を説明するためのフロー図である。
【図５】図５は、同実施形態に係る電子血圧計の角度検出器によるピッチ方向、ロール方向の傾き角を説明する図である。
【図６】図６は、同実施形態に係る電子血圧計の角度検出器によるピッチ方向、凭れ方向の傾き角を説明する図である。
【図７】図７は、同実施形態に係る電子血圧計において、カフと心臓の高さの差ΔＨの算出方法を説明するための図である。
【図８】図８は、同実施形態に係る電子血圧計において、カフと心臓の高さの差ΔＨの算出方法を説明するための図である。
【図９】図９は、この発明の第３の実施形態に係る電子血圧計の外観を示す斜視図である。
【図１０】図１０は電子血圧計を用いた測定姿勢を示す図である。
【図１１】図１１は第３の実施形態に係る電子血圧計の構成を示すブロック図である。
【図１２】図１２は第３の実施形態に係る電子血圧計の主要部の機能ブロック図である。
【図１３】図１３は測定される角度情報を説明する図である。
【図１４】図１４はΔＨの算出に用いられる角度変数を説明する図である。
【図１５】図１５は第３の実施形態に係る電子血圧計の処理動作を示すフロー図である。
【図１６】図１６Ａ〜Ｈは第３の実施形態に係る電子血圧計による測定姿勢の報知方法を説明する図である。
【図１７】図１７は第４の実施形態に係る電子血圧計の主要部の機能ブロック図である。
【図１８】図１８はピッチ角が同じで前腕の長さ相違による本体高さの相違を示す図である。
【図１９】図１９はピッチ角が同じで上腕の長さ相違による本体高さの相違を示す図である。
【図２０】図２０Ａ，Ｂは被測定者の上腕がピッチ方向に傾いている場合の問題点を説明する図である。
【図２１】図２１は上腕がロール方向に傾いている場合の問題点を説明する図である。
【図２２】図２２は被測定者の体が傾いている場合の問題点を説明する図である。
【図２３】図２３は被測定者の前腕が傾斜する場合の問題点を説明する図である。
【符号の説明】
【００５４】
２１      血圧計本体
２２      上腕角度測定部
１１      前腕角度検出器
１２      上腕角度検出器
１０      表示器
９        ブザー
６        ＭＰＵ
１１ａ    重力加速度センサ
１１ｂ    重力加速度センサ
１４      角度算出部
１５      高低差算出部
１６      高低差適否判定部
１７      補正圧力算出部
１８      補正後血圧算出部
【図１】
0004462257.tif 000002
【図２】
0004462257.tif 000003
【図３】
0004462257.tif 000004
【図４】
0004462257.tif 000005
【図５】
0004462257.tif 000006
【図６】
0004462257.tif 000007
【図７】
0004462257.tif 000008
【図８】
0004462257.tif 000009
【図９】
0004462257.tif 000010
【図１０】
0004462257.tif 000011
【図１１】
0004462257.tif 000012
【図１２】
0004462257.tif 000013
【図１３】
0004462257.tif 000014
【図１４】
0004462257.tif 000015
【図１５】
0004462257.tif 000016
【図１６】
0004462257.tif 000017
【図１７】
0004462257.tif 000018
【図１８】
0004462257.tif 000019
【図１９】
0004462257.tif 000020
【図２０】
0004462257.tif 000021
【図２１】
0004462257.tif 000022
【図２２】
0004462257.tif 000023
【図２３】
0004462257.tif 000024